(57)【要約】データベース、特に総勘定元帳などの財務データベースの法廷調査を可能にするシステム、ソフトウェア、及び方法。本システム、ソフトウェア、及び方法は、「ｎ」又は多次元データインテロゲーション分析、特にオンライン分析処理（「ＯＬＡＰ」）を活用して、データベース内の多次元データの種々の次元のリアルタイムのデータ分析、及びデータ間のパターン又は関係からを含む異常及び／又は重要な記録の識別を可能にする。【選択図】図１
2008515094.tif 000002
【特許請求の範囲】
【請求項１】
データベース内に格納された多次元データの法廷検査を行うためのコンピュータ化された方法において、
前記データの種々の次元を分析し前記データ間のパターン及び関係の少なくとも１つを識別するように適合された、リアルタイムデータ・インテロゲーション機能を有するソフトウェアであって、該ソフトウェアにアクセス可能なデータベースに多次元データを供給する段階と、
前記データを少なくとも１つの事前選択カテゴリーに分類する段階と、
事前選択の少なくとも１つのデータ分析属性を定義する少なくとも１つのテンプレートを前記ソフトウェアにロードして、重要且つ異常なデータの少なくとも１つを示す段階と、
前記少なくとも１つの事前選択のテンプレート属性に基づいてリアルタイムで前記データに関する多次元データ分析を行う段階と、
前記データベースに対する少なくとも１つのマップを定義する少なくとも１つのプロファイルを作成して、前記分析されたデータへのナビゲーションを容易にする段階と、
前記少なくとも１つのプロファイルに基づいて前記データの減少する次元の方向に前記分析されたデータをナビゲートし、重要且つ異常の少なくとも１つである前記データの少なくとも１つの態様を識別する段階と、
を含むコンピュータ化された方法。
【請求項２】
前記データの少なくとも１つの重要且つ異常な態様をクロス集計する段階と、関連するフィールドワークアクティビティ要件を識別する段階とを更に含む請求項１に記載の方法。
【請求項３】
前記データの少なくとも１つの重要且つ異常な態様のレポートを自動的に作成する段階を更に含む請求項１に記載の方法。
【請求項４】
前記データの少なくとも１つの重要且つ異常な態様に基づいて起訴可能な提言のレポートを自動的に作成する段階を更に含む請求項１に記載の方法。
【請求項５】
前記データベース内にロードされた前記データの正確さ及び完全性の少なくとも１つを検証する段階を更に含む請求項１に記載の方法。
【請求項６】
前記データベース内に格納された前記データに関する集計統計値及び集計メトリクスの少なくとも１つを作成する段階を更に含む請求項１に記載の方法。
【請求項７】
集計統計値及び集計メトリクスの少なくとも１つは、（ｉ）正のデータ値、（ｉｉ）負のデータ値、（ｉｉｉ）全データ値、（ｉｖ）最小データ値、（ｖ）最大データ値、（ｖｉ）零位、（ｖｉｉ）データ値の平均値、及び（ｖｉｉｉ）データ値の標準偏差の少なくとも１つを含む請求項６に記載の方法。
【請求項８】
前記データは、財務データであることを特徴とする請求項１に記載の方法。
【請求項９】
前記財務データは、総勘定元帳データであることを特徴とする請求項８に記載の方法。
【請求項１０】
前記データを少なくとも１つの事前選択のカテゴリーに分類する前記段階が、前記データを損益計算書母集団と貸借対照表母集団の少なくとも１つに分ける段階を含む請求項９に記載の方法。
【請求項１１】
前記データを関連する試算表と照合する段階を更に含む請求項１０に記載の方法。
【請求項１２】
前記少なくとも１つの事前選択のテンプレート属性に基づいてリアルタイムで前記データに関して多次元データ分析を行う前記段階が、損益計算書母集団と貸借対照表母集団の少なくとも１つにわたって前記データを検査するのに使用されることを特徴とする請求項１０に記載の方法。
【請求項１３】
前記少なくとも１つの事前選択のテンプレート属性に基づいてリアルタイムで前記データに関して多次元データ分析を行う前記段階が、損益計算書母集団と貸借対照表母集団の少なくとも１つの母集団間のパターン及び関係の少なくとも１つを識別する段階を含む請求項１０に記載の方法。
【請求項１４】
前記少なくとも１つのテンプレートは、（ｉ）組み替え及び調整トランザクションエントリ、（ｉｉ）トランザクションタイプ、（ｉｉｉ）重複、（ｉｖ）．００で終わる額、（ｖ）ベンフォードの法則からの分散、（ｖｉ）トランザクションエントリ記述、（ｖｉｉ）Ｚ値関係、（ｖｉｉｉ）トランザクションエントリユーザ、及び（ｉｘ）会計期間の終わりの前及び後の事前選択の期間内に発生する項目の少なくとも１つを含むことを特徴とする請求項９に記載の方法。
【請求項１５】
前記少なくとも１つの事前選択のテンプレート属性に基づいてリアルタイムで前記データに関して多次元データ分析を行う前記段階は、前記データ間のパターン及び関係の少なくとも１つを識別する段階を含む請求項１に記載の方法。
【請求項１６】
前記ソフトウェアは、オンライン分析処理ソフトウェアであることを特徴とする請求項１に記載の方法。
【請求項１７】
前記少なくとも１つのプロファイルを少なくとも１つのレポートに自動的にエクスポートする段階を更に含む請求項１に記載の方法。
【請求項１８】
前記少なくとも１つのプロファイルは、少なくとも１つのデータキューブ及び少なくとも１つのグリッドを含み、前記少なくとも１つのデータキューブは、前記データベースのｎ次元ビューを表わし、前記少なくとも１つのグリッドは、前記データベース内における記録の二次元ビューを表わすことを特徴とする請求項１に記載の方法。
【請求項１９】
前記データベースのｎ次元ビューは、ページ、行、列、及び尺度を含むことを特徴とする請求項１８に記載の方法。
【請求項２０】
前記データベースのｎ次元ビューは、分析のためにピボットされフィルタリングされるように適合されていることを特徴とする請求項１８に記載の方法。
【請求項２１】
前記少なくとも１つのグリッドにおけるデータは、グループ分けされ、ソートされ、更にフィルタリングされたものの少なくとも１つであることを特徴とする請求項１８に記載の方法。
【請求項２２】
前記少なくとも１つのプロファイルに基づいて前記データの減少する次元の方向に前記分析されたデータをナビゲートする前記段階は、前記少なくとも１つのデータキューブにおける分析基準を選択し、前記少なくとも１つのグリッドの関連するグリッドにドリルダウンする段階を含む請求項１８に記載の方法。
【請求項２３】
前記少なくとも１つのプロファイルは、少なくとも１つの三次元マップを定義することを特徴とする請求項１に記載の方法。
【発明の詳細な説明】
【技術分野】
【０００１】
（関連出願の相互参照）
本出願は、２００４年９月３０日に出願された米国特許仮出願第６０／６１４，７６９号、及び２００５年９月１３日に出願された名称「Ｓｙｓｔｅｍ，  Ｓｏｆｔｗａｒｅ  ａｎｄ  Ｍｅｔｈｏｄ  ｆｏｒ  Ｅｘａｍｉｎｉｎｇ  ａ  Ｄａｔａｂａｓｅ  ｉｎ  ａ  Ｆｏｒｅｎｓｉｃ  Ａｃｃｏｕｎｔｉｎｇ  Ｅｎｖｉｒｏｎｍｅｎｔ（法廷会計環境においてデータベースを調査するためのシステム、ソフトウェア、及び方法）」のＹｏｇｅｓｈ  Ｂａｈｌ、Ｂｒｕｃｅ  Ｇａｖｉｏｌｉ、及びＪｏｓｅｐｈ  Ｌｏｏｂｙによる米国特許出願に対する利益を主張し、これらの開示事項は、引用により全体が本明細書に組み込まれる。
【０００２】
（技術分野）
本発明は、一般に、異常な或いは重要な（例えば、不正行為の指標のような）記録（トランザクション）を識別するために、データベースの検査、特に、例えば総勘定元帳などの財務データベースの検査を可能にする新規のシステム、ソフトウェア、及び方法を対象とする。より詳細には、本発明によるシステム、ソフトウェア、及び方法は、リアルタイムの「ｎ」すなわち複数の次元のデータインテロゲーション分析、特にオンライン分析処理（「ＯＬＡＰ」）を利用して、法廷会計応用でのリアルタイムデータ・インテロゲーションを可能にする。
【背景技術】
【０００３】
当業者には公知のように、ＯＬＡＰは、データベースに格納されたデータの分析を可能にするソフトウェアツールのカテゴリーである。ＯＬＡＰツールによって、ユーザは、多次元データの種々の次元を分析することができる。ＯＬＡＰは、公知のデータマイニングツール（あるグループのデータにおける隠れパターンを探すデータベースアプリケーションの１つのクラス）よりも優れた特異的な利点を与え、データ間の単なる関係以上のものを識別する能力であって、異常なデータの態様を識別する能力を含む。以下に詳細に説明されるように、本発明（統計関数の使用を介するものを含む）は、ＯＬＡＰの利点を活用する新規の法廷用ツールを提供する。
【０００４】
会計／監査分野、特に法廷会計分野においては、大きな財務データベース内の記録の妥当性をテストするための手順を設計するために継続的に取り組んでいる。本発明によるシステム、ソフトウェア、及び方法は、この取り組みの必要性に対する新規の対応である。
【０００５】
法廷会計は、会計、統計、テクノロジー、及び調査のスキルを統合することが必要とされる。法廷会計士は、通常、財務上の証拠（例えば、従業員窃盗、セキュリティ及び保険金詐欺などの刑事問題の調査での）を調査、分析、及び解釈し、財務上の証拠の分析及び提示を支援し、更に彼らの所見を伝える（例えば、鑑定証人として法廷で証言し、公判の証拠を立証するために視覚的補助を準備することによって）ために雇われている。法廷会計士はまた、潜在的不正行為を調査する際に会計検査官を支援するよう要請される。法廷会計士は、会計事務所、或いは保険会社、銀行、警察、政府機関、及び他の組織団体に雇われる。
【０００６】
従来的には、法廷調査員は、例えばＡＣＬ、ＭＳアクセス、及びＭＳ  ＳＱＬサーバなどの商用データベースソフトウェアを使用して、総勘定元帳トランザクションのエントリをレビューしている。しかしながら、これらの商用ツールはＯＬＡＰを実行することがなく、提起された各質問についてのクエリーをプログラムし、或いはデータに関してテストすることをユーザに要求する。更に、これらの商用ツールは、レビューするのに扱いにくく合理的ではなく、有用ではないことが多い大量のデータをレポートする。
【発明の開示】
【発明が解決しようとする課題】
【０００７】
従って、従来のソフトウェア及び方法に関連する欠点を克服し、ＯＬＡＰを使用して、（ｉ）データセットを種々の母集団（例えば、売上、売上原価、労務、税金、減価償却費／償却、利子及び他の収益／経費などの損益計算書母集団）に分割する場合に同じデータセットを分析すること、（ｉｉ）母集団間の関係及びデータに関する照会又はテスト間の関係を識別すること、並びに（ｉｉｉ）特定（有用な）の結果、及び関連ユーザについての提言になる結果を生成することを可能にする財務データベースの法廷会計調査で用いる新規のシステム、ソフトウェア、及び方法を提供することが望まれる。
【課題を解決するための手段】
【０００８】
一般的に、本発明は、データベース、特に財務情報（例えば、総勘定元帳）を包含するデータベースの法廷調査をＯＬＡＰを使用して行うためのシステム、ソフトウェア、及び方法を対象とする。本発明による新規のシステム、ソフトウェア、及び方法は、既知のコンピュータ機能及び電子通信リンクを活用して、財務データベースの分析と、例えば組織の財務記録における重大な虚偽を示す、問題のあるトランザクションエントリなどのリスクエリアの識別を可能にする新しい法廷会計ソリューションを提供する。
【０００９】
本発明の好ましい実施形態によれば、多次元データは、リアルタイムデータ・インテロゲーション機能を有するＯＬＡＰソフトウェアにアクセス可能なデータベース内に格納される。このソフトウェアは、データの種々の次元を分析し、データ間のパターン及び関係を識別するように適合されている。データは、事前選択のカテゴリーに分類される。重要且つ異常なデータを示すために事前選択のデータ分析属性を定義するテンプレートがソフトウェアにロードされる。多次元データ分析は、事前選択のテンプレート属性に基づいてリアルタイムでデータに行われ、重要且つ異常なデータが指摘される。キューブ（データベースのｎ次元ビュー）及びグリッド（データベース記録の二次元ビュー）を含むプロファイルが作成され、分析されたデータのナビゲーションを容易にするためにデータベースへのマップを定義する。分析されたデータのナビゲーションは、プロファイルに基づいて「ドリルダウン」方式で（すなわち、データの減少していく次元の方向に）行われる。結果は、重要且つ異常なデータを含むベースとなるデータのｎ次元ビューである。訴訟可能な提言を含むことができる重要且つ異常なデータのレポートが自動的に作成される。
【００１０】
従って、本発明の目的は、単一の法廷ツールに会計原則、統計値、テクノロジー、及び調査技術を統合して、トランザクションのデータベースの法廷調査が問題のあるトランザクションエントリなどのハイリスクエリアを識別し、組織の財務記録における重大な虚偽表示を検出するのを可能にする新しいシステム、ソフトウェア、及び方法を提供することである。
【００１１】
本発明の更に他の目的及び利点は、部分的に明らかになり、本明細書から部分的に明らかになるであろう。
【００１２】
従って、本発明は、種々のステップと、これらのステップの１つ又はそれ以上と他の各々に対する関係を含み、本システム及び方法は、全て以下の詳細な開示事項に例示されるようにこれらのステップを行うように適合されている特徴を具現化し、本発明の範囲は請求項で示されることになる。
【００１３】
本発明をより完全に理解するために、添付図面と共に以下の説明を参照する必要がある。
【発明を実施するための最良の形態】
【００１４】
組織の財務記録／レポート／申告書のベースとなる数字の信頼度を評価する場合、法廷会計士は必ず最初に総勘定元帳（ＧＬ）を見る。ＧＬは、組織の業務の全てについての財務トランザクションを包含する極めて大きなコンピュータデータベースであることが多い。ＧＬは、何百万及び何十億ものトランザクションエントリ（ＧＬに入力されるトランザクション）を有することができる。
【００１５】
法廷調査員は、例えば、不正による可能性のある重大な虚偽の証拠のデータ（例えば、トランザクションエントリ、調整値、及び推定値）の調査を一般的に要求する監査基準書（ＳＡＳ）ＮＯ．９９において規定されたタイプの目的を満たすためにＧＬを分析する。このような目的を達成するために、（ａ）誰がいつ決済勘定に転記しているか知ること、（ｂ）転記元（内部制御装置を備えたコンピュータ端末、又は制御装置のないスプレッドシート及び外部データベース）を知ること、及び（ｃ）より厳重な検査に値する重要且つ異常なエントリを識別することが有用である。
【００１６】
本発明によるシステム、ソフトウェア、及び方法は、新規の法廷会計ソリューションを提供する。以下で詳細に説明されるように、本発明によれば、ＯＬＡＰを活用することで、全ＧＬは、異常且つ重要なデータ間の記録及び関係についてリアルタイムで探索することができる。
【００１７】
本明細書では財務データベースの関連で説明され、特定の実施例がＧＬであるが、本発明は、ＧＬなどの財務データベースの調査に限定されず、同様に他のタイプのデータベースに関しても用途がある点を理解されたい。
【００１８】
ここで図面を参照すると、図２は、ＯＬＡＰデータインテロゲーション機能を提供する本発明によるソフトウェアを使用してＧＬの法廷検査を行うための本発明による好ましい方法の高レベルフロー図を示す。本発明によるＯＬＡＰソフトウェアは、リアルタイムでＧＬデータベース内の多次元データの種々の次元を分析し、以下で詳細に説明されるようにデータ間のパターン及び関係を識別することができる。
【００１９】
本発明によるＯＬＡＰソフトウェアは、データベース内でデータがどのように編成されるかを追跡することができ、データを分析する機能を含む従来のサーバ２０上に存在する点を理解されたい（図１を参照）。現在の主要なデータベースシステムのほぼ全てが利用可能な適切なデータベースサーバがある。このサーバは、従来の入力及びディスプレイデバイスを含むユーザインターフェース２２に電子的に結合することができる。ユーザインターフェースは、例えばインターネットなどの公的にアクセス可能なグローバルコンピュータネットワークを介してサーバに結合されたリモートインターフェースとすることができる。
【００２０】
本発明に従って財務データベース２４の法廷検査を行う場合、調査中の財務データ（例えば、ＧＬ及びＧＬで使用される勘定番号を表にした勘定科目一覧表とこれらに関係する情報）が最初に取得され、本発明によるＯＬＡＰソフトウェアにアクセス可能な好ましくは別個の重複読出し専用データベース２６に（適切なデータベースプロバイダフォーマットに従って）ロードされる（図２のステップ１、図１及び図６ｃを参照）。図３ａ−３ｃは、ＧＬ、勘定科目一覧表、及び試算表のためのサンプルファイル及びフィールド要件を示す。
【００２１】
望ましくは、データロードの正確さ及び完全性は、財務データベース内の勘定額を自動的に合計することによって新しいソフトウェアで測定／検証される（図２、ステップ２）。
【００２２】
データローディングプロセス中に、データはフラグを付けられ、必要に応じて統計情報がデータに付加される。
【００２３】
データローディングプロセス後、データに関する集計統計値及びメトリクスは、あらゆる異常な項目を強調するためにも生成することができる（ステップ３）。集計統計値及びメトリクスは、（ｉ）正の額の和及びカウント、（ｉｉ）負の額の和及びカウント、（ｉｉｉ）全ての額の和及びカウント、（ｉｖ）最小及び最大額、（ｖ）零位のカウント、及び（ｖｉ）平均値及び標準偏差を含むことができる。
【００２４】
財務データは、特定のカテゴリーに分けられ、付加的なフィールドが追加される（ステップ４）。データの初期分析が行われ、データは、期間毎、すなわち日毎、月毎、４半期毎、又は年毎で、例えば売上、売上原価、労務、税金、減価償却費／償却、利子及び他の収益／経費を含む損益計算書母集団に分けられる。データはまた、例えば、現金、売掛金、買掛金、及び偶発債務などの残高証明母集団に分けられる。
【００２５】
その後、データは、データの正確さ及び完全性を評価するために関連する試算表に照合されるのが好ましい（ステップ５）。ステップ４及び５から、各損益計算書及び貸借対照表の構成要素内及び全体に渡るトランザクションエントリのアクティビティのレベルが解明され、あらゆる異常な構成要素も識別することができる。
【００２６】
従って、例えば調査中のデータベースとしてＧＬを使用することで、本発明による新しいシステム、ソフトウェア、及び方法は、法廷会計士が以下のアクティビティを効率良く行えるように設計されている。
・数字／額及び日付フィールドに関する統計を行う−トップ（例えばトップ５）の最も高い及び最も低いトランザクションエントリが適切である（ファイルのカットオフを反映する最も高い及び最も低い日付であるか？／妥当な額フィールドにおける最も高い及び最も低いエントリか？）かどうかを評価する−平均額と比較し「妥当な」エントリであるものを理解する；
・上記のアクティビティからの所見を用いて、あらゆる異常な結果−すなわち高い／低いトランザクションエントリ、利益を過大にすることになる期限に近いエントリ、収入勘定への異常な貸方などをフィルタリングし抽出する−法廷会計士による更なるレビューのために最も高い（例えば５０）及び最も低い（例えば５０）の残高を有する記録を抜き出す
・勘定の一覧を取得し、収益を過大にし又は不正を犯すのに使用されるリスクが高い勘定−すなわち「その他」及び「雑」収益及び経費勘定など、エントリを行うことができる人に関してある制限を有する勘定を識別する；
・異常なアクティビティに対する期間の終わり頃に入力されたトランザクションエントリをレビューする；
・トランザクションエントリのエントリの月及びトランザクションの有効日付で集約し、−月毎、特に期間の最後にあらゆる異常な変動を識別する（借方及び貸方の両方について同じことを行う）；
・各母集団のトランザクションエントリ及び財務構成要素がどのように支払われるか−幾つかの極めて大きなエントリがあるかを検討する
・重複トランザクションエントリを探す（望ましくは、排除することでエントリ日付、売上送り状番号、又はトランザクション番号などの重複検出の可能性が低下することになるフィールドを排除する）；
・所与の勘定カテゴリー（例えば売上勘定）に影響を与える全トランザクションエントリの総額を関連するトランザクション勘定に記録された総額と照合する；
・金額フィールドに関してＢｅｎｆｏｒｄ（ベンフォード）の法則（以下に更に詳細に説明する）を適用する；
・種々の引当金勘定間又は種々の負債勘定間の借方／貸方をレビューする（利益／損失勘定をバイパスしている引当金の増加／調整を識別するため）；
・引当金勘定への借方−在庫又は売掛金（又は他の）貸方又は利益／損失勘定をレビューする（引当金を損益計算書に公開する−引当金の潜在的な過小表示を識別するため）；
・資産に対する借方／経費に対する貸方をレビューする（経費の不正資産化を識別するため）；
・経費に対する借方／販売された商品のコストに対する貸方をレビューする（マージンの操作を識別するため）；
・売掛金に対する借方／収益に対する貸方をレビューする（早期に認識された収益を識別するため）；
・在庫に対する借方／販売された商品のコストに対する貸方をレビューする（不適切に下げられた経費を識別するため）；
・買掛金に対する借方／売掛金に対する貸方をレビューする（バーターの契約、或いは取り引きするお金がない場合にベンダーでもある顧客との相互取引があるかどうかを識別するため）。
【００２７】
上記のことを達成するために、事前に定義されたカスタマイズ可能なテンプレート（分析される属性を定義する）は、本発明による新規のソフトウェアにロードされ（ステップ６）、ｎ次元データ分析が、好ましくは全母集団（例えば、売上、売上原価、労務、税金、減価償却費／償却、利子及び他の収益／経費）にわたってリアルタイムでデータを検査するためにこのソフトウェアを使用して行われる（ステップ７）。引き続き、ＧＬデータベースの実施例では、テンプレート、或いは分析されることになる属性は、限定ではないが、（ｉ）組み替え及び調整トランザクションエントリ、（ｉｉ）トランザクションタイプ、（ｉｉｉ）重複、（ｉｖ）．００で終わる額、（ｖ）ベンフォードの法則からの分散（以下で詳細に説明されるような先頭数字現象）、（ｖｉ）トランザクションエントリ記述／リマーク、（ｖｉｉ）Ｚ値関係（以下で詳細に説明される）、（ｖｉｉｉ）トランザクションエントリユーザ（Ｚ値毎）、及び（ｉｘ）各会計期間の終わり前後の事前に選択された期間（例えば１５日）内で起こる項目（トランザクションエントリユーザによるものを含む）を含むことができる。
【００２８】
前述の属性は、不正エントリが、（ａ）関連性のない、異常な、或いはまれに使用される勘定に対して行われるエントリ、（ｂ）通常はトランザクションエントリを行わない個人が行うエントリ、（ｃ）説明又は記述がほとんど又は全くない期間の終わり又は繰り越しエントリとして記録されたエントリ、（ｄ）勘定番号を持たない財務諸表の準備前又は準備中に行われたエントリ、或いは（ｅ）概数又は一致期末数を含むエントリを含むことができる認識に基づく点を理解されたい。
【００２９】
「プロファイル」のラベルが付けられたデータ要約が作成され、本発明による新しいソフトウェアを使用して読み取られ、自動的に標準のカスタマイズ可能なレポートにエクスポートされ（ステップ８）、異常且つ重要な記録が、属性、ユーザ及び／又はソース毎に強調されクロス集計される（ステップ９）。以下で詳細に説明されるように、プロファイルは、内部に格納されるデータへの効率的なナビゲーションを容易にする本発明によるソフトウェアによって作成されたデータベースに対する３−Ｄの局所的双方向のマップを定義するデータキューブ及びグリッドを含む。プロファイルをレビューし対象のエリアにナビゲートした後で、法廷調査員は、例えばドラッグ・アンド・ドロップ及びポイント・アンド・クリック技術を使用してベースとなるトランザクションエントリを探し、潜在的な選択及びテストのための重要で異常なエントリを識別するように「ドリルダウン」できる（図２ｂのステップ９ａ−９ｄを参照）。
【００３０】
法廷調査員は、財務データのカテゴリー内及び財務データ内のカテゴリー間の異常なアクティビティ、パターン、及び傾向（例えば、レイオフ後の労働費の増加；全四半期の終わりに向けての売上の増加、及び全四半期の始めでの売上の減少）に関心があり、更に、本発明による新しいソフトウェア及び方法を利用して、これらを見つける能力を備えている。
【００３１】
組み替え属性（図４ａ）では、法廷調査員は、１つの勘定から他の勘定に組み替えされ、トランザクションの財務報告に影響を与える額の識別に関心がある。この目的を達成するために、調査員は、十分な説明もなく大きな額又は経常の小さな額のいずれかを他の勘定に移すトランザクションを探すことになる。これは、本発明による新しいソフトウェア及び方法を使用して、例えば変則的な又は他のトランザクションエントリタイプの傾向と一致しない組み替えの傾向を期間毎に探すことによって容易に達成できる。
【００３２】
トランザクションタイプの属性において、法廷調査員は、収益を上げるかコストを下げるように働く規則的な決算エントリを識別することに関心がある。この目的のために、調査員は、次の期間での減少によって逆転された１つの期間における増加と、識別された収益の額を大きく変える年度末後に行われたトランザクションを探すことになる。これは、本発明によるソフトウェア及び方法を使用して、例えば異常な特徴について本発明のソフトウェアによって作成されたグラフ表示（図４ｂ）をレビューすることによって、更に、期間毎に増加及び減少の正味影響をレビューすることによって容易に達成できる。
【００３３】
重複エントリの属性において、法廷調査員は、十分な説明無しに期間中に繰り返される額を有するトランザクションに関心がある。この目的のために、調査員は、重複額を表わすトランザクションの数字の変動率を探すことになる。これは、本発明によるソフトウェア及び方法を使用して、例えば特定の額毎にトランザクションの数字を示す本発明のソフトウェアによって作成されたグラフ表示（図４ｃ）をレビューすることで容易に達成できる。
【００３４】
期末数字属性において、法廷調査員は、．００で終わる額を有するトランザクションに関心がある。この目的のために、調査員は、増加、減少における変動率、及び．００で終わる額を有するトランザクションの正味影響を探すことになる。これは、本発明による新しいソフトウェア及び方法を使用して、例えば．００で終わる特定の額のトランザクションの数字を示す本発明のソフトウェアによって作成されたグラフ表示（図４ｄ）をレビューすることによって容易に達成できる。
【００３５】
ベンフォードの法則は、先頭数字現象としても知られる現象学的法則である。ベンフォードの法則によれば、リスティング、統計値の表などにおいて、数字「１」が、期待される１１．１％（すなわち、９つのうちから１つの数字）よりも大きい約３０％の確率で発生する傾向がある。
【００３６】
ベンフォードの法則からの分散に関連した属性において、法廷調査員は、各トランザクションエントリ額の第１数字に基づく該法則に相反するトランザクションエントリに関心がある。法廷調査員は、本発明のソフトウェアによって作成されたグラフ表示（図４ｅ）でのベンフォード期待ライン付近の異常なピーク又は谷を見つけようとし、更に、本発明による新しいソフトウェア及び方法を利用して、これらを見つける能力を備えている。
【００３７】
トランザクションエントリ説明属性において、法廷調査員は、不明確な及び／又は疑わしい記述を有するトランザクションに関心がある。この目的のために、調査員は、特定の人の指示の元で大きな調整を行うトランザクション記述、説明のないエントリ、及び記述毎にトランザクションをグループ分けすることによって対象組織の事業に適合しない説明を探すことになり、更に、本発明によるソフトウェア及び方法を利用して、これらを見つける能力を備えている。
【００３８】
調査中のデータベース内のデータに関連する確率分散に応じて、本発明によるソフトウェアは、分散に関係した統計値を計算するようカスタマイズすることができ、例えばソフトウェアは、Ｚ値を計算するように適合させることができる。一般的にいえば、項目におけるＺ値は、項目がその分散の平均値から外れる程度及び方向を示し、その分散の標準偏差の単位で表わされる。一般に、Ｚ値の数値演算は、分散における全項目がそのＺ値に変換される場合に、変換された値がゼロと標準偏差１との平均値を必ず持つようにされる。
【００３９】
Ｚ値属性において、法廷調査員は、その財務諸表構成要素内の平均額から１又は２標準偏差（＋／−１又は２）より大きく外れる額を有するトランザクションエントリを識別することに関心がある。これは、本発明によるソフトウェア及び方法を利用し、算術平均からの＋／−１又は２標準偏差より大きな特定のタイプの全トランザクションを表示するためにカスタマイズ可能なレポートを使用して、前述の基準に適合する増加及び減少について本発明のソフトウェアによって作成されたグラフ表示（図４ｆ）をレビューすることで容易に達成できる。
【００４０】
各会計期間の終わり前後の事前に選択された時間期間内に発生するユーザ属性及び項目の属性に対して、法廷調査員は、トランザクションエントリのあるタイプだけを転記するユーザ、他のプロファイルで異常と識別されたトランザクションエントリを転記するユーザ、及び会計期間の最後近くにトランザクションを転記するユーザを見つけることに関心があり、本発明による新しいソフトウェア及び方法を使用して、これらを見つける能力を備えている（図４ｇ及びｈ）。これは、新しいソフトウェアを使用して、特に大きな額ずつ特定の財務構成要素を調整するトランザクションについて各母集団タイプ内、トランザクションエントリタイプ内、及びその全体にわたってリアルタイムでグループ分けしドリルダウンすることによって達成される。
【００４１】
法廷調査員はまた、その財務構成要素（すなわち、ユーザ属性に対するＺ値の態様）内の平均額から１又は２（＋／−１又は２）標準偏差よりも大きく外れる額を包含するユーザによって転記されたトランザクションエントリを識別することに関心があるとすることができる。これは、本発明による新しいソフトウェア及び方法を使用して、算術平均からの＋／−１又は２標準偏差よりも大きい設定額を有するユーザを選択し、グループ分けし、更にドリルダウンすることによって容易に達成できる（図４ｉ）。
【００４２】
上記に示されたように、プロファイルは、内部に格納されたデータ全体にわたる有効なナビゲーションを容易にする財務（例えばＧＬ）データベースに対する３−Ｄの局所的な双方向マップを定義するデータキューブ及びグリッドを含む。
【００４３】
キューブは、データベースのｎ次元ビューであり、すなわちキューブからのフィールドは、フィールド間の関係をビューできるように種々の次元にグループ分けすることができる。図５を参照すると、次元は、ページ（キューブに「ドロップ」することができが、蓄えており、現在はキューブに表示されていないフィールド）、行（キューブの側面上のフィールド−例えば、「Ｊｏｕｒｎａｌ  Ｔｙｐｅ（ジャーナルタイプ）」及び「Ｄｅｂｉｔ／Ｃｒｅｄｉｔ（借方／貸方）」）、列（キューブの上部のフィールド−「Ｃｒｅａｔｅ（作成）」年及び四半期）、及び尺度（キューブの表面上に表示されるフィールド）を含むことができ、分析用にピボット（キューブの列、行、尺度、及びページエリアへの移動、及びこれらからの移動）されてフィルタリングされる（キューブ又はグリッドにおいて、例えば全増加を示し全減少を隠すために、全母集団からデータを除くように基準を使用する）。作成されたビュー（キューブテンプレート）は、後で使用するために保存することができる。ＯＬＡＰは、財務データを、例えばポイント・アンド・クリック及びドラッグ・アンド・ドロップ技術を使用して修正可能なキューブに変換するために活用される。
【００４４】
グリッドは、データベースにおける記録の二次元ビューである。グリッドでは、データを特定のフィールド又は複数のフィールド毎にグループ分けし、記憶し、及びフィルタリングすることができ、更に作成されたビュー（グリッドテンプレート）は、後で使用するために保存しておくことができる。グリッドフィールドは、キューブの行及び／又は列に配置することができ、同時に量的グリッドフィールドは、キューブを累積セルにグループ分けするための尺度として使用できる。
【００４５】
キューブは、法廷調査員がデータの関係、傾向、及びパターンを識別するのに読み取ることのできるデータベースの要約を表わす。キューブは、（例えば、ドラッグ・アンド・ドロップ及びポイント・アンド・クリック機能を使用して）ナビゲートし、これによって法廷調査員は、キューブの項目を選択し、データの減少していく次元の方向、次いでベースとなるデータにおける重要且つ異常なエントリ及び／又は可能性のある選択及び追加テストのための重要且つ異常なデータユーザアクティビティにナビゲートすることができる（図２ｂステップ９ａ−９ｄを参照）。すなわち、本発明によるソフトウェアでコード化されるこの特徴によって、法廷調査員は、ドリルダウンし結果としてられるグリッド内の選択されたキューブ項目についての付加的な情報を取得することが可能となる。プロセスは繰り返すことができる。
【００４６】
ユーザアクティビティ（すなわち、ドラッグ及びドロップ、ポイント及びクリック−ドリルダウン）に基づいてＯＬＡＰを使用することによって、新しいソフトウェアは必要に応じて自動的にデータフィールドを再配置することを理解されたい。
【００４７】
この結果、重大な虚偽記載の高リスクに対するこのようなエントリの関係に基づく財務トランザクションエントリのｎ次元ビュー、重要且つ異常な属性を識別するためのテストを含むエントリデータの各属性又は列のｎ次元ビュー、トランザクションクリエーターのｎ次元ビュー、及び財務システムの重要且つ異常なユーザを識別するためのテストを含む転記ソースとなる。
【００４８】
極めて大きな財務データベース（例えば、大きなＧＬ）の有効なナビゲーションが唯一の問題ではない点を理解されたい。多国籍企業では、財務諸表の１つのセットに統合する必要のある複数の財務データベースが生じる。統合において、詳細な財務エントリのほとんどが要約されており、要約レベルでは、信頼性のあるデータの評価は極めて難しい。これは、法廷調査員が各重要な子会社の財務データベースを詳しく調べることを求める場合があることを意味する。
【００４９】
複数の別個の財務データベースを有する企業において、本発明によるソフトウェア及び方法は、各データベースに別々に適用することができる。或いは、別個のデータベースを、細分性の適切な程度によってグローバルに財務エントリを記録する１つの統合データベースに移行させることができ、本発明のソフトウェア及び方法がこの統合データベースに適用される。
【００５０】
この場合も同様に、本明細書ではＧＬを分析する関連において説明しているが、本発明はＧＬの分析に制限されないが、財務又はそれ以外の他のタイプのデータベースに関して適用される点を理解されたい。
【００５１】
再度図２を参照すると、プロファイル結果のクロス集計に基づいて（ステップ９）、フィールドワークサポートテスティングを必要とする可能性のあるハイリスクエリアを識別することができる（ステップ１０）。ハイリスクエリアが識別された場合、このような問題を解決することを支援するための措置が取られる（修正されたサンプル選択、フィールドワーク手順、及び司法面接を通じて）。
【００５２】
次いで、所見及び起訴可能な提言のレポート（統計及び／又はグラフ表示を含む事前定義され更にカスタマイズ可能なフォーマット）を作成することができる（ステップ１１）。
【００５３】
本発明による分析の作成結果は具体的で明確であり、この結果は、法廷調査員が読み通すのに苦労するほど膨大なデータを含まない点を理解されたい。更に、この結果は次のステップへの提言に容易に変換される点を理解されたい。
【００５４】
ここで図６ａ−６ｓを参照すると、操作中、インストールされ実行される本発明による新しいＯＬＡＰベースのソフトウェアでは、ディスプレイ画面をユーザに提示し、ユーザがレビューされることになる財務データを含むデータベースにキューブを接続（例えば、マイクロソフトデータ接続ダイアログボックス（図６ａ））し、財務データをキューブ（例えば、マイクロソフトアクセスデータベースファイル（図６ｂ）から）にロードできるようにする。
【００５５】
データがロードされると、本発明による新しいＯＬＡＰベースのソフトウェアは、グリッド画面（データテーブルの二次元ビュー）を開くことになる（図６ｃ）。このビューは、ロードされたテーブル全体の選択されたフィールドの全てを示す。
【００５６】
記録はグループ分けされ（例えば、列ヘッダを列ヘッダ名の上のエリアにドラッグすることによって）、更にソートすることができる（図６ｄ）。複数フィールドが一度にグループ分けすることができ、すなわち複数列を全てリアルタイムで一度にソートすることができる。
【００５７】
フィルタを加えることができる（図６ｅ）。種々のフィルタが列のデータタイプに応じて表示される。例えば図６ｅを参照すると、特徴ベースのデータに関して、「Ｆｉｌｔｅｒ  Ｃｒｉｔｅｒｉａ（フィルタ基準）」ボックスは、（ｉ）特定の文字から始まる、（ｉｉ）特定のテキストを包含する、及び（ｉｉｉ）テキストであるといった、ユーザフィールド毎に選択のために表示することができる。
【００５８】
更に、フィルタ画面では、ユーザは選択された特定のフィールドに対して有用な統計値の計算を（例えば、「ｓｔａｔｉｓｔｉｃｓ（統計値」）のラベルが付いたボタン（図６ｅ）を選択することによって）始めることができる。統計値は、（ｉ）記録のカウント、（ｉｉ）フィールドの和、（ｉｉｉ）フィールドの平均額、（ｉｖ）フィールドでの最小及び最大額、（ｖ）標準偏差、及び（ｖｉ）フィールドでの最高額と最低額との間の分散を含むことができる（図６ｆ）。
【００５９】
グリッドの適切なレイアウトが見つかった場合、テンプレートは後でロードされるように保管しておくことができる（図６ｇ）。
【００６０】
キューブもまた、本発明の新しいＯＬＡＰベースのソフトウェアによって表示されるドロップ−ダウンメニューを使用して（例えば、「Ｆｉｌｅ（ファイル）」及び「Ｖｉｅｗ  Ｃｕｂｅ（ビューキューブ）」を選択することによってキューブビューに入り、フィールドを付加する（図６ｈ））容易に作成することができる。例えば、図６ｉは、「Ｄｅｂｉｔ／Ｃｒｅｄｉｔ（借方／貸方）」毎の「Ｓａｌｅｓ（売上）」「Ｊｏｕｒｎａｌ  Ｔｙｐｅ（ジャーナルタイプ）」エントリをビューし、これらを「Ｃｒｅａｔｅ（作成）」年及び四半期に関係付けるために作成されたキューブを示している。
【００６１】
図６ｈを参照すると、フィールドは、選択されたデータベースから（例えば「Ｒｅｔｒｉｅｖｅ  Ｆｉｅｌｄｓ（フィールド検索）」を選択することによって）、及び作成されたフィールドのリストから検索することができ、所望のフィールドをキューブの列、行、及び尺度にドラッグ及びドロップすることができる（図６ｊ）。
【００６２】
尺度において表示された情報は変更することができる（例えば、尺度ディスプレイボックス（図６ｊ）内の「Ｆｉｅｌｄ（フィールド）」を選択し、次に「Ｐｒｏｐｅｒｔｉｅｓ（プロパティ）」を選択することによって）。図６ｋは、「Ｓｕｍ（和）」に設定しているデフォルトを示しており、フィールド；「Ｃｏｕｎｔ（カウント）」「Ａｖｅｒａｇｅ（平均）」、「Ｍａｘ（最大）」、及び「Ｍｉｎ（最小）」は、図示されている幾つかの他のオプションである。
【００６３】
キューブが所望のレイアウトにある場合、後で使用するために保管しておくことができる（例えば、「Ｒｒｅｐｏｒｔ  Ｄｅｓｉｇｎ（レポート設計）」次に「Ｌｏａｄ／Ｓａｂｅ（ロード／セーブ）」更に次いで「Ｓａｖｅ（セーブ）」を選択し、キューブファイルをネーミングすることによって（図６ｌ））。
【００６４】
テンプレートが、母集団（例えば売上、売上原価、労務、減価償却費／償却、他の収益／経費などの損益計算書母集団）の１つで実行された場合、別の母集団を呼び出すことができる。これは、キューブファイルをデータベース内の適切なテーブルに向ける段階を含む。図６ｌ−６ｎを参照すると、キューブを１つの母集団から他の母集団に変えることは、データの別のセットをビューし（例えば、「Ｒｅｐｏｒｔ  Ｄｅｓｉｇｎ（レポート設計）」ドロップ−ダウンメニューを選択し、「Ｄｅｓｉｇｎｅｒ（設計者）」を選択して、「ＤＣｕｂｅ  Ｃｌａｓｓ  Ｐｒｏｐｅｒｔｉｅｓ（Ｄキューブクラスプロパティ）」ウィンドウになることによって）て、更にアクセスされることになるテーブルを識別することによって（例えば、「Ｇｅｎｅｒａｌ（一般）」タブ上で「Ｒｅｃｏｒｄ  Ｓｏｕｒｃｅ（記録ソース）」コーディングを変えることによって、すなわち、例えばキューブ内の売上原価データをビューするために「ＳＥＬＥＣＴ＊ＦＲＯＭ  ＳＡＬＥＳ」を「ＳＥＬＥＣＴ＊ＦＲＯＭ  ＣＯＳＴ」に変更し、次いで「ＯＫ」を選択し、更にメニュー上で、キューブ内のデータを更新するために「Ｅｄｉｔ−Ｒｅｆｒｅｓｈ（編集−リフレッシュ）」を選択することによって）達成することができる。
【００６５】
本発明によるデータ分析は、「ピボッティング」段階−すなわちキューブ上の１つのロケーションから別のロケーションにキューブ内のフィールドを（例えばドラッグ及びドロップすることによって）動かす段階を含むことができる。これは、リアルタイムでキューブに表示された尺度を自動的に変更する。
【００６６】
ページ、列、又は行として配置されるどのフィールドもピボットすることができる。例えば、行としてキューブ内に配置されていたフィールドは、リアルタイムで列又はページフィールドにピボットすることができる。
【００６７】
図６ｏを参照すると、フィルタリングは、特定のフィールドで項目を選択又は選択解除する（ドロップダウンメニューに示される）ことによって行うことができる。項目の隣りのボックスがマークされている（例えば、「Ｘ」で）場合には、関係する情報は、ビューに含まれることになり、マークされていない（「Ｘ」が選択解除されている）場合には、関係する情報はビューに含まれず、これに応じて全ての尺度／グルーピングがリアルタイムで修正されることになる。
【００６８】
キューブの尺度をより深く理解することが求められる場合、法廷調査員は、サポート記録までドリルダウンし、グリッド内でこれらをビューすることができる。図６ｐを参照すると、これは、対象となるセルを選択し、ドリル−ダウンのための基準を（例えば「ドリルダウン」メニューから）選択し、次いで基準が実行されるテーブルを選択することによって達成することができる。すなわち、本発明によるシステム、ソフトウェア、及び方法は、（ｉ）キューブ内のセルをユーザが選択できるようにすること、（ｉｉ）ドリルダウンダイアログボックスを表示すること、（ｉｉｉ）ドリルダウン選択肢（図６Ｐを参照）を提示すること、及び（ｉｖ）ユーザ選択に基づいてグリッド記録を選択するようナビゲートすることによって、キューブ内のセルからグリッド内の対応する記録へのドリルダウンを自動化し簡略化する。この特徴は、法廷会計士にフレキシブルで強力な「ポイント・アンド・クリック」調査ツールをもたらす。
【００６９】
キューブ内では、法廷調査員は、キューブで作成されたグルーピングの集約情報をビューすることができる。これは、額の和（「Ｓｕｍ（和）」）、記録カウント（「Ｃｏｕｎｔ（カウント）」）、又は平均額（「Ａｖｇ（平均）」）とすることができる（図６ｑ「Ｅｄｉｔ（編集）」及び「Ｔｏｔａｌ（合計）」メニュー）。
【００７０】
画面上の「％」ボタンをクリックすることによって、パーセンテージオプションが提供される。このオプションによって、各それぞれのセルに対する各列の合計又は各行の合計のパーセンテージを表示することが可能となる（図６ｒ「Ｅｄｉｔ（編集）」及び「Ｄａｔａ（データ）」メニュー）。
【００７１】
プリンタ、又は例えばＭｉｃｒｉｓｏｆｔ  Ｅｘｃｅｌ（マイクロソフトエクセル）などのスプレッドシートプログラムに対し出力を生成することができる（図６ｓ）。
【００７２】
従って、本発明は、会計原則、統計、テクノロジー、及び調査技術を一意的に統合する新しいシステム、ソフトウェア、及び方法を具現化し、法廷会計士に、オンライン分析処理を使用してリアルタイムでデータベース内の大量のデータを探索し、例えば不正行為の指標のように、異常且つ重要な記録を指摘する能力を提供する。
【００７３】
このようにして、上記に記載された目的は、前述の説明から明らかにされた中から効率的に達成されることがわかり、本発明の精神及び範囲から逸脱することなく上記の方法の実施において、及びシステムについて記載された構成において幾つかの変更を行うことができるので、上記の説明に含まれ且つ添付図面に示される全ての内容は、例証として解釈され、限定を意味するものではないものとする。
【００７４】
添付の請求項は、本明細書で説明された本発明の一般的及び特定の特徴の全て、並びに言語の問題としてその間に含まれる本発明の範囲の全ての説明を保護するものである点を理解されたい。
【図面の簡単な説明】
【００７５】
【図１】本発明の好ましい実施形態に従って構成され配置されたシステムの概略図である。
【図２ａ】本発明の好ましい実施形態に従ってＯＬＡＰデータインテロゲーション機能を提供する新しいソフトウェアを使用して、財務データベースの法廷調査を行う場合に実行されるプロセスステップを示す高レベルフロー図である。
【図２ｂ】図２ａに示される本発明の実施形態に従って異常且つ重要な記録を指摘し、属性、ユーザ、及び／又はソース毎にクロス集計する段階を行うためのプロセスステップを示すフロー図である。
【図３ａ】本発明による法廷調査用の財務データベースのための例示的なファイル及びフィールドガイドラインを示す図である。
【図３ｂ】本発明による法廷調査用の勘定科目一覧表のための例示的なファイル及びフィールドガイドラインを示す図である。
【図３ｃ】本発明による法廷調査用の試算表のための例示的なファイル及びフィールドガイドラインを示す図である。
【図４ａ】本発明の好ましい実施形態に従ってＯＬＡＰデータインテロゲーション機能を提供する新しいソフトウェアを使用して分析された種々の属性を示す例示的なコンピュータ画面出力を示す図である。
【図４ｂ】本発明の好ましい実施形態に従ってＯＬＡＰデータインテロゲーション機能を提供する新しいソフトウェアを使用して分析された種々の属性を示す例示的なコンピュータ画面出力を示す図である。
【図４ｃ】本発明の好ましい実施形態に従ってＯＬＡＰデータインテロゲーション機能を提供する新しいソフトウェアを使用して分析された種々の属性を示す例示的なコンピュータ画面出力を示す図である。
【図４ｄ】本発明の好ましい実施形態に従ってＯＬＡＰデータインテロゲーション機能を提供する新しいソフトウェアを使用して分析された種々の属性を示す例示的なコンピュータ画面出力を示す図である。
【図４ｅ】本発明の好ましい実施形態に従ってＯＬＡＰデータインテロゲーション機能を提供する新しいソフトウェアを使用して分析された種々の属性を示す例示的なコンピュータ画面出力を示す図である。
【図４ｆ】本発明の好ましい実施形態に従ってＯＬＡＰデータインテロゲーション機能を提供する新しいソフトウェアを使用して分析された種々の属性を示す例示的なコンピュータ画面出力を示す図である。
【図４ｇ】本発明の好ましい実施形態に従ってＯＬＡＰデータインテロゲーション機能を提供する新しいソフトウェアを使用して分析された種々の属性を示す例示的なコンピュータ画面出力を示す図である。
【図４ｈ】本発明の好ましい実施形態に従ってＯＬＡＰデータインテロゲーション機能を提供する新しいソフトウェアを使用して分析された種々の属性を示す例示的なコンピュータ画面出力を示す図である。
【図４ｉ】本発明の好ましい実施形態に従ってＯＬＡＰデータインテロゲーション機能を提供する新しいソフトウェアを使用して分析された種々の属性を示す例示的なコンピュータ画面出力を示す図である。
【図５】本発明の好ましい実施形態に従ってＯＬＡＰデータインテロゲーション機能を提供する新しいソフトウェアを使用して生成された財務データのｎ次元ビューを示す例示的なコンピュータ画面出力を示す図である。
【図６ａ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｂ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｃ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｄ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｅ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｆ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｇ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｈ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｉ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｊ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｋ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｌ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｍ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｎ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｏ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｐ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｑ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｒ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【図６ｓ】本発明の好ましい実施形態に従ってＯＬＡＰデータインテロゲーション機能を提供する新しいソフトウェアを使用して財務データベースの法廷調査を行うためのプロセスの態様を説明する例示的なユーザインターフェースディスプレイを示す図である。
【符号の説明】
【００７６】
２０  サーバ
２２  ＰＣ−インターフェース
２４  オリジナルＧＬデータベース
２６  調査中の重複ＧＬデータベース
【図１】
2008515094.tif 000003
【図２ａ】
2008515094.tif 000004
【図２ｂ】
2008515094.tif 000005
【図３ａ】
2008515094.tif 000006
【図３ｂ】
2008515094.tif 000007
【図３ｃ】
2008515094.tif 000008
【図４ａ】
2008515094.tif 000009
【図４ｂ】
2008515094.tif 000010
【図４ｃ】
2008515094.tif 000011
【図４ｄ】
2008515094.tif 000012
【図４ｅ】
2008515094.tif 000013
【図４ｆ】
2008515094.tif 000014
【図４ｇ】
2008515094.tif 000015
【図４ｈ】
2008515094.tif 000016
【図４ｉ】
2008515094.tif 000017
【図５】
2008515094.tif 000018
【図６ａ】
2008515094.tif 000019
【図６ｂ】
2008515094.tif 000020
【図６ｃ】
2008515094.tif 000021
【図６ｄ】
2008515094.tif 000022
【図６ｅ】
2008515094.tif 000023
【図６ｆ】
2008515094.tif 000024
【図６ｇ】
2008515094.tif 000025
【図６ｈ】
2008515094.tif 000026
【図６ｉ】
2008515094.tif 000027
【図６ｊ】
2008515094.tif 000028
【図６ｋ】
2008515094.tif 000029
【図６ｌ】
2008515094.tif 000030
【図６ｍ】
2008515094.tif 000031
【図６ｎ】
2008515094.tif 000032
【図６ｏ】
2008515094.tif 000033
【図６ｐ】
2008515094.tif 000034
【図６ｑ】
2008515094.tif 000035
【図６ｒ】
2008515094.tif 000036
【図６ｓ】
2008515094.tif 000037
【国際調査報告】
2008515094.tif 000038
2008515094.tif 000039